(57)【特許請求の範囲】
【請求項１】
頂部、底部および側部部材（１〜３）を備えた枠構造およびこの枠構造に対して開放可能な、金属シート輪郭体からなる頂部、底部および側部部材（５〜７）との間に嵌め込まれた断熱窓ガラス（４）を備えた頂部で垂下されたサッシ構造、前記断熱窓ガラス（４）の外方面の狭い縁部区域を被覆する第１壁部分および前記断熱窓ガラスの縁面と平行に延びている第２壁部分（５ａ〜７ａ）を備えたＬ形状断面を有する前記金属シート輪郭体、軸線が前記サッシ構造の前記頂部部材の前記金属シート輪郭体の前記第２壁部分（５ａ）と一体のフック部材（３９）と前記枠構造の前記頂部部材と接続される取り付け部材（３７）のヒンジピン形成部材（３８）との間の係合によって画成される、前記枠構造および前記サッシ構造の前記頂部部材（１，５）に設けられる枢動ヒンジ、ならびに前記サッシ構造の予め定めた開口角度の範囲内で前記フック部材と前記ヒンジピン形成部材との間の係合を維持するための固定手段からなっている、傾斜屋根面に取り付けるための窓において、前記フック部材（３９）が前記第２壁部分（５ａ）に対して垂直に延びる第１部分、およびこの第１部分に対して角度的な第２部分を備えたＶ形状であり、前記取り付け部材（３７）がＬ形状でありそして窓の閉止された位置において前記ヒンジピン形成部材（３８）が前記Ｖ形状のフック部材（３９）の前記第１部分に当接し、そして前記固定手段が、前記枢動ヒンジの軸線から短い距離で前記枠構造および前記サッシ構造の前記側部部材（２，６）の少なくとも１つの隣接する対に固定され、かつ閉止位置から計算されて、前記Ｖ形状のフック部材の前記開口角度より小さい開口角度範囲において、前記Ｖ形状のフック部材（３９）および前記ヒンジピン形成部材（３８）を相互に係合して保持するが、前記開口角度範囲を超えて前記サッシ構造を回転させるとき、前記枠構造からの前記サッシ構造の除去を許容する保持手段（４０，４１）によって構成されることを特徴とする窓。
【請求項２】
前記Ｖ形状のフック部材（３９）の開口角度が２０°ないし３０°の範囲内にあることを特徴とする、請求項１に記載の窓。
【請求項３】
前記開口角度範囲内で通気位置へ前記サッシ構造を開放するために、窓オペレータが、前記枠構造および前記サッシ構造の前記底部部材（３，７）に関連して取り付けられることを特徴とする、請求項１または請求項２に記載の窓。
【請求項４】
前記窓オペレータが前記サッシ構造の前記底部部材（７）と取り外し可能に接続された操作チェーンを備えた電動チェーンオペレータであることを特徴とする、請求項３に記載の窓。
【請求項５】
前記保持手段（４０，４１）が前記ヒンジの枢動軸線（４４）内に軸線を有するブロックによって構成されることを特徴とする、請求項１から４のいずれか１項に記載の窓。
【発明の詳細な説明】
技術分野
本発明は、頂部、底部および側部部材を備えた枠構造およびこの枠構造に対して開放可能な、金属シート輪郭体からなる頂部、底部および側部部材との間に嵌め込まれた断熱窓ガラスを備えた頂部で垂下されたサッシ構造、前記断熱窓ガラスの外方面の狭い縁部区域を被覆する第１壁部分および前記断熱窓ガラスの縁面と実質上平行に延びている第２壁部分を備えた実質上Ｌ−形状断面を有する前記金属シート輪郭体、軸線がサッシ頂部部材の金属シート輪郭体の第２壁部分と一体のフック部材と枠頂部部材と接続される取り付け部材のヒンジピン形成部材との間の係合によって画成される、枠およびサッシ構造の頂部部材に設けられる枢動ヒンジ、ならびにサッシ構造の予め定めた開口角度の範囲内でフック部材とヒンジピン形成部材との間の係合を維持するための固定手段からなっている、とくに傾斜屋根面に取り付けるための窓に関する。
従来の技術
この型の窓は、ヨーロッパ特許出願ＥＰ−Ａ−０４１０３６９および国際特許出願ＷＯ９３／１１３３２から知られている。これらの窓においてサッシ構造全体および枠の頂部部材と接続される取り付け部材は押し出し成形輪郭体として製造されている。最初に述べた窓において、ヒンジ部材は枠の頂部部材上の屈曲された上向き突起およびサッシの頂部部材の下向きに開口された溝内に置かれたガスケットによって構成されそしてどのような係合解除の可能性もなしに永続的に係合され、サッシの頂部部材の運動は枠の頂部部材の隣接する部分または上方にあるサッシ輪郭体によって制限されている。後者の窓において、固定手段は、サッシの側部部材の溝に移動可能に位置決めされかつ部分的に開放不能な窓の場合において枠構造に固定された錠止部材用の係止要素として、開放可能な窓の場合において操作アームとの解放可能な結合のために部分的に役立ち得るブロックからなっている。
手動操作によるこの結合の解放を考慮して、前記ブロックは通常枠およびサッシの頂部部材において枢動ヒンジからかなりの高さに配置されねばならず、枢動ヒンジは結合部材の許容誤差のために結合の偶発的な解放に対して完全な安全性を付与しない。さらに、結合の各解放は、また、開口角度範囲内で、枠に対するサッシの取り外しを可能にしている。
発明の開示
本発明の目的は、サッシ構造、ヒンジそれ自体および枢動ヒンジの部材間の係合を維持するための固定手段の設計に関連してより複雑でない構造を有しかつ取り外しのためのサッシの偶発的な解放に対する改良された安全性を有する、導入部として記載された型の窓を提供することにある。
この目的は、本発明によれば、前記フック部材が第２壁部分に対して実質上垂直に延びる第１部分、および第１部分に対して角度的な第２部分を備えた実質上Ｖ−形状であり、そして前記取り付け部材が実質上Ｌ−形状でありそして窓の閉止された位置においてヒンジピン形成部材が前記Ｖ−形状のフック部材の前記第１部分に当接し、そして前記固定手段は、枢動ヒンジの軸線から比較的短い距離で枠およびサッシ構造の側部部材の少なくとも１つの隣接する対に固定され、かつ閉止位置から計算されて、Ｖ−形状のフック部材の開口角度より小さい開口角度範囲において、Ｖ−形状のフック部材および前記ヒンジピン形成部材を相互に係合して保持するが、前記開口角度範囲を超えてサッシ構造を回転させるとき、枠構造からのサッシ構造の除去を許容する保持手段によって構成されることを特徴とする窓によって達成される。
この設計は、簡単な屈曲作業によるサッシ構造およびヒンジのすべての部品の製造を可能にし、そして保持手段は係合の安全固定を提供する。
Ｖ−形状のフック部材の開口角度は好ましくは２０ないし３０°の範囲内にある。
保持手段は、本発明の実施例によれば、ヒンジの枢軸内の軸線を備えた部分筒状案内面を有するブロックによって構成される。
本発明の実施例において、窓オペレータは、開口角度範囲内で通気位置へサッシ構造を開放するために、枠およびサッシ構造の底部部材に関連して取り付けられ、このオペレータは窓の開放に加えて、また、角度範囲内にヒンジ部材を保持し、そのさい固定手段が互いに係合してヒンジ部材を保持する。
オペレータはサッシ構造の底部部材と取り外し可能に接続された操作チェーンを備えた電動チェーンオペレータであってもよい。
本発明を以下で添付図面に示されるような実施例に関連して説明する。
【図面の簡単な説明】
第１図は傾斜屋根面に取り付けられるような頂部で垂下された窓を示す斜視図であり、
第２図、第３図および第４図は第１図の線ＩＩ−ＩＩ，ＩＩＩ−ＩＩＩおよびＩＶ−ＩＶに沿う枠およびサッシ構造の頂部、側部および底部部材を示す断面図、
第５図は窓用の頂部ヒンジの設計を示すサッシの横方向および部分断面図、そして
第６図は枠構造の頂部、側部および底部部材間の隅部接合点の設計を示す図である。
発明を実施するための最良の形態
図面に示される実施例において、本発明による頂部で垂下の屋根または天窓は頂部部材１、側部部材２および底部部材３を有している枠構造およびこの枠構造に対して開放可能な頂部で垂下されたサッシ構造からなり、そのさい断熱窓ガラス４が頂部部材５、側部部材６および底部部材７の間に嵌め込まれている。
第２図ないし第４図の断面図から明らかなように、断熱窓ガラス４は、この窓ガラス４の縁面８〜１０が枠構造の頂部、側部および底部部材１〜３の外方側と実質上面一であり、かつ窓の閉止位置において断熱窓ガラス４が枠構造の頂部、側部および底部部材１〜３の外方縁面１７〜１９の溝１４〜１６内に維持される弾性密封輪郭体１１〜１３に直接当接するように、枠構造の外方寸法に実質上対応する寸法により製造される。
サッシ輪郭体５〜７は図示実施例において、薄い壁厚さを備えた実質上Ｌ形状を有する金属シート輪郭体として設計されかつ第１図に示されるように４５°の角度接合点として作られ得る隅部接合点２０によって相互に接続されている。
この非常に簡単なかつ軽いサッシ構造において、断熱窓ガラス４は接着密封によって、例えば、図示のごとく、シリコン接着剤からなる接合点２１および２２によって固定される。
断熱窓ガラス４の縁面８〜１０に当接する、サッシ輪郭体５〜７のＬ形状断面の壁５ａ〜７ａは、図示のごとく、閉止された位置において、この壁の後ろに横たわっている枠部材１〜３の外方側に重なり合いかつ内方縁部において柔らかく丸められた縁部を設けるために折り畳まれるような幅により製造されている。
良好な熱絶縁を得るために、枠の頂部、側部および底部部材１〜３は木製輪郭体２３から作られ、この輪郭体は、第６図に示されるように、隅部において、例えば、波形の当接面２５を備えた輪郭が付けられた留め継ぎ接合点２４において接続されている。この接合方法は頂部、側部および底部部材１〜３の安全な相互錠止を部分的に設け、最適な絶縁特性を部分的に付与し、木製輪郭体の端面が枠部材の外方側から除去されるという利点を有している。
図示実施例において、枠木製輪郭体２３は実質上平行四辺形形状の断面により製造され、そのさい上述した外方縁面１７〜１９は共通面内に横たわり、それにより輪郭断面の隣接する反対側面２６，２７は例えば９５〜１４０°、図示実施例においては９６°の角度ｖを形成している。ピラミッドの低い角錐台の形状を備える構造を設けるこの輪郭断面により、好都合な可能性は、例えばローラブラインドおよび虫網のような付属品の種々の形状を取り付けるために望ましい斜めの内方側部を備え、かつ最小の材料消費を有する枠構造を製造することから得られ、輪郭体２３は、図示のごとく、比較的薄い厚さにより製造されている。
図示実施例において、枠構造の熱絶縁特性は、枠構造の内方側を形成するのに向けられる輪郭体２３の側に、適宜な、良好な絶縁材料から製造され得る、追加の実質上ロッド形状の絶縁要素２８が保持されるということによって改善されている。
第２図ないし第４図から理解されるように、絶縁要素２８は木製輪郭体２３の幅の１部分を横切って延びかつ溝および舌片接合点３０によって木製輪郭体２３と接続される当接縁部２９によって支持されている。
内方側２６上で、枠構造の頂部、側部および底部部材１〜３は、内方側全体を被覆しかつ断熱窓ガラス４の縁部区域に向かって延びる金属シート輪郭体３１からなる被覆において終端している。この金属シート被覆により、断熱窓ガラスに対してかかる改善された熱伝達は、実際上、凝結の幾らかが他の方法では屋根または天窓の境界区域にしばしば発生する、この凝結を完全に阻止することができるように外に曲げたことによって得られる。熱伝達は、代表的には、室温２０℃および室外温度０℃において、約１４℃の温度が断熱窓ガラス４の内方側に得られるという効果を有している。
当接縁部２９が、図示のごとく、これらが木製輪郭体２３から距離を置いて鼻部分３２を形成するように設計されるということは、被覆輪郭体３１を折り畳まれた縁部分３３とともに製造することにより被覆輪郭体３１を保持するのに利用され得る。
枠構造のこの設計は、木製輪郭体２３およびそれと接続される当接縁部２９が絶縁要素２８および被覆輪郭体３１と解放可能に接続され得るということを引き起こし、このことはラッカー仕上げ／色の変化のためにまたは付属品用取り付け具の取り付けのために容易に交換されることができ、かつ続いて起こる分解において枠構造を木製輪郭体、絶縁要素および金属輪郭体に、材料を高度に再利用するために、容易に分離することを可能にする、簡単な、かつ環境的観点から好都合な構成を引き起こす。
外方側上において、枠構造の頂部、側部および底部部材１〜３はそれ自体公知の方法において、金属シートからなる水切り輪郭体３４〜３６によって被覆されている。
下に横たわっている屋根構造への窓の固定のために、第３図に示されるごとく、溝３５ａが、屋根構造に続いて固定される、固着アングルまたは帯片を受容するために枠の側部部材２に設けられる。
図示のサッシおよび枠構成は、好都合な方法において、それぞれ、枠およびサッシ構造の頂部部材１および５と一体の窓の頂部ヒンジの作成を可能にする。
このために、突出壁部分３８の形のヒンジピン形成部材を備えた取り付け部材３７が枠の頂部部材１の水切り輪郭体３４と接続されることができ、これに反して、実質上Ｖ形状のフック部材３９かサッシ頂部部材５用のＬ形状金属シート輪郭体の壁部分５ａと一体に作られ、前記フック部材３９は上向きの壁部分３８に蝶着されておりかつ２０〜３０°の範囲の開口角度を有している。
フック部材３９および突出する壁部分３８を相互に係合して保持するためにかつ通気位置へのサッシ構造の回転を可能にするために、固定手段が、第５図に示されるように、枠およびサッシ構造の側部部材２および６の隣接する対に固定され、前記固定手段は、図示実施例において、例えば、ヒンジ４４の枢動軸線内に軸線を有する部分筒状案内面４２および４３を備えた、耐磨耗性のプラスチツク材料からなるブロックの形の、保持手段４０および４１からなっている。Ｖ形状のフック部材３９の開口角度より小さい、開口角度の範囲内で、保持手段４０および４１はヒンジ部材３８および３９を相互に係合して保持する一方、保持手段は、サッシ構造がこの開口角度の範囲を超えて第５図に破線で示される位置へ回転されるとき、係合解除されかつしたがって枠構造に対してサッシ構造の容易な分解を許容する。開口角度範囲内で通気位置へ枠構造に対してサッシ構造を開放するために、窓のオペレータはそれ自体公知の方法において枠およびサッシ構造の底部部材３および７に関連して取り付けられることができ、例えば、この窓のオペレータは木製輪郭体２３および絶縁要素２８の凹所に収納されたオペレータハウジング４５および例えば折り畳まれた縁部分に固定されたＬ−形状のサッシ輪郭体７ａに関連して例えばＬ−形状のコンソール４８に固定されるサッシ固定具４７と取り外し可能に接続され得る操作チェーン４６を有する電動チェーンオペレータとして構成されている。
【図１】
0003990460.tif 000002
【図２】
0003990460.tif 000003
【図３】
0003990460.tif 000004
【図４】
0003990460.tif 000005
【図５】
0003990460.tif 000006
【図６】
0003990460.tif 000007